(57)【特許請求の範囲】
【請求項１】
装置本体から遊離した位置にあって表示機能を有する操作部と、前記装置本体に結合面において結合して、前記操作部を支持するためのアーム状の支持部材と、を有し、前記支持部材の重心が前記結合面上に無い画像形成装置において、
前記結合面において前記支持部材と前記装置本体のいずれか一方に設けられた第一穴部と、
前記結合面において前記支持部材と前記装置本体の他方に設けられて前記第一穴部に嵌合する突出部と、
前記結合面において前記支持部材と前記装置本体のいずれか一方に設けられた第二穴部と、
前記結合面において前記支持部材と前記装置本体の他方に設けられて、前記支持部材が自重により前記結合面に保持されるように前記第二穴部に係止するカギ形形状のカギ部と、
を有して、
前記支持部材が前記装置本体に前記結合面において結合した状態において、前記カギ部の先端は前記第二穴部に対して前記突出部が配置された側と反対側に位置することを特徴とした画像形成装置。
【請求項２】
前記突出部の中心から前記支持部材の重心までの距離に対し結合された前記第二穴部から前記支持部材の重心までの距離の方が大きい領域に前記カギ部を配置すると共に、前記支持部材は前記結合面に対し斜めに差し入れて前記カギ部を前記第二穴部に引掛けた後に前記突出部と前記第一穴部との嵌合により位置決めされることを特徴とした請求項１に記載の画像形成装置。
【請求項３】
前記支持部材が、前記突出部を回転中心とし所定の角度の範囲内で結合位置を選択固定可能であり、前記第二穴部が前記結合位置の角度範囲を規制する機能を兼ね合わせていることを特徴とした請求項１または２に記載の画像形成装置。
【発明の詳細な説明】
【０００１】
【発明の属する技術分野】
本発明は、複写機、プリンター、ファクシミリ、及びこれらの複合機器等の画像形成装置に関するものである。
【０００２】
より詳しくは、装置本体からに遊離した位置に表示機能を有する操作部を有し、その操作部を装置本体に支持するアーム状の支持部材を有し、前記支持部材の重心が装置本体との結合面上に無い画像形成装置に関する。
【０００３】
【従来の技術】
図６に上記のような構成の、複写機、プリンター、ファクシミリ等の画像形成装置の例を示す。画像形成装置本体１（以下、装置本体と記す）上には自動原稿フィード装置２が設けられており、自動原稿フィード装置２にはシート状原稿をセットする載置部２ａがあり、自動原稿フィード装置２の下面の、装置本体側最上部には原稿の情報を光学的に読取るためのリーダー部３を有している。
【０００４】
そして、自動原稿フィード装置２は、シート状原稿だけではなくブック原稿等の読取を可能にするため、奥側をヒンジとして任意の角度で開閉可能となっている。
【０００５】
自動原稿フィード装置２に隣接した装置本体上部右側には原稿を読み込み後排出された原稿を積載する原稿排紙トレイ２ｂを有している。
【０００６】
さらに、原稿排紙トレイ２ｂの上部には表示部６ａを有する操作部６（立面ディスプレイ）が配置されている。
【０００７】
この操作部６を操作することで、シートカセット７に内蔵された記録シートが、画像形成部４により、リーダー部３から読み込まれた原稿のデータを基に所望の記録がなされた後排紙トレイ１０の上に排出される構成となっている。
【０００８】
さらに従来の前記操作部６は図７に示すように略水平に配されたアーム状支持部材１０５の一端部１０５ｃに柱６ｄを介して回動可能に保持され、もう一方の端部である固定部１０５ｄを装置本体の結合部１０１ａと複数のネジ１０５ｂ等により連結固定されている。
【０００９】
【発明が解決しようとする課題】
しかしながら、上記従来構成例によれば、支持部材１０５を装置本体の結合部１０１ａに組み立て固定する時、支持部材１０５の重心１０５ａが装置本体との結合部１０１ａ上に無いため、支持部材１０５を片手で保持した状態でネジ１０５ｂの挿入部の位置を合わせ、すなわち支持部材１０５側のネジ貫通穴と結合部１０１ａ側のネジ穴との位置を合わせ、かつもう一方の手でネジ１０５ｂを締める、といった困難な作業を強いられ、また誤って支持部材１０５を落下させる問題があった。
【００１０】
本発明は上記の各問題点に鑑みてなされたものであり、上記のように画像形成装置本体からに遊離した位置に表示機能を有する操作部を有し、その操作部を装置本体に支持するアーム状の支持部材を有し、前記支持部材の重心が装置本体との結合面上に無い画像形成装置について、操作部を装置本体に支持するアーム状の支持部材を装置本体に組立てる場合、支持部材を作業者が保持すること無く装置本体との結合作業が出来るようにして、作業性と安全性の向上を図ることを目的としている。
【００１１】
【課題を解決するための手段】
本発明は上記課題を解決し目的を達成するため、装置本体から遊離した位置に表示機能を有する操作部と、前記装置本体に結合面において結合して、前記操作部を支持するためのアーム状の支持部材を有し、前記支持部材の重心が前記結合面上に無い画像形成装置において、前記結合面において前記支持部材と前記装置本体のいずれか一方に設けられた第一穴部と、前記結合面において前記支持部材と前記装置本体の他方に設けられて前記第一穴部に嵌合する突出部と、前記結合面において前記支持部材と前記装置本体のいずれか一方に設けられた第二穴部と、前記結合面において前記支持部材と前記装置本体の他方に設けられて、前記支持部材が自重により前記結合面に保持されるように前記第二穴部に係止するカギ形形状のカギ部と、を有して、前記支持部材が前記装置本体に前記結合面において結合した状態において、前記カギ部の先端は前記第二穴部に対して前記突出部が配置された側と反対側に位置することにより、支持部材を作業者が保持せずに装置本体との結合作業が出来る。
【００１２】
また、前記突出部の中心から前記支持部材の重心までの距離に対し結合された前記第二穴部から前記支持部材の重心までの距離の方が大きい領域に前記カギ部を配置すると共に、前記支持部材は前記結合面に対し斜めに差し入れて前記カギ部を前記第二穴部に引掛けた後に前記突出部と前記第一穴部との嵌合により位置決めされることにより、支持部材を斜め持ち上げない限り前記支持部材が脱落しないため、組立て作業に前記支持部材が誤って落下するようなことを防止できる。
【００１３】
さらに、前記支持部材が、前記突出部を回転中心とし所定の角度の範囲内で結合位置を選択固定可能であり、前記第二穴部が前記結合位置の角度範囲を規制する機能を兼ね合わせていることにより、作業中に不用意に前記支持部材を水平方向に動かしてしまった時でも、本体側固定部のネジ穴が前記支持部材の穴部を通して常に確認可能な範囲に規制されるためネジ結合が容易に行える。
【００１４】
【発明の実施の形態】
［実施例１］
以下に本発明の第１の実施例での主たる部分を図１〜図３を参照して述べる。
【００１５】
本図において、画像形成装置本体の機能は前記図５で説明した従来例と同一のため、従来例と異なる操作部６・支持部材５・結合部１ａ周辺についてのみ説明する。
【００１６】
図１において、表示部６ａを有する操作部６は、略水平に配されたアーム状支持部材５の一端部５ｅに柱６ｄを介して回動可能に保持される。
【００１７】
支持部材５は他端部５ｆを、係合部（位置決め用突起）５ｂとカギ形形状係止部（カギ状の引っ掛け部）５ｃをそれぞれ装置本体１の結合部１ａの穴１ｂと角穴１ｃに挿入した状態で、複数の固定ネジ１０５ｄにより貫通穴５ｄを介して連結固定されている。１ｄは結合部１ａ側のネジ穴である。
【００１８】
上記構成において、支持部材５を装置本体の結合部１ａに組み付ける時は、図２に示すように、支持部材５のカギ形形状からなる係止部５ｃを装置本体の結合部１ａの角穴１ｃに図中矢印ａの方向で斜めに差込み、その後係合部５ｂを結合部１ａの穴１ｂに嵌合させる。
【００１９】
このとき支持部材５を作業者が保持しなくても、重心５ａに下向きの力が加わるので係止部５ｃのカギ形形状部が結合部１ａの角穴１ｃに引っ掛かるため、仮止め状態になり、固定ネジ１０５ｄを締めこむ前でも図３のような略水平の姿勢が保たれる。
【００２０】
さらに、係合部５ｂと係止部５ｃは結合部１ａの穴１ｂと角穴１ｃとの間に上記組み込み作業に必要な最小限の隙間しか有していないので、係止部５ｃが角穴１ｃにより係合部５ｂを中心とした回転を規制されるので、支持部材５に加わる略水平のあらゆる方向から力に対して係合部５ｂと係止部５ｃの嵌合部が破壊されない限り支持部材５が脱落することはない。装置本体側固定部のネジ穴１ｄが支持部材５側の貫通穴５ｄから常に確認可能なように貫通穴５ｄの大きさを設定している。
【００２１】
図３のように仮止め状態の支持部材５を取り外すためには組み付け時の作業を逆にたどるよう支持部材５を斜めに持ち上げ係合部５ｂと係止部５ｃを装置本体の結合部１ａから抜き取るしかない。
【００２２】
よって、本実施例によれば
ａ．図３のように仮止め状態にある支持部材５を作業者が保持せずにネジ固定などの結合作業が容易に出来る。
【００２３】
ｂ．仮止め状態にある支持部材５を斜めに持ち上げない限り係止部が外れないため、組立て作業中の支持部材５の落下を防止できる。
【００２４】
ｃ．作業中、前記支持部材５を不用意に動かそうとしても、装置本体側固定部のネジ穴１ｄが支持部材５の貫通穴５ｄから常に確認可能な範囲にあり、容易にネジ結合が出来る。
【００２５】
また、本実施例では操作部６を支持部材５に取り付けた状態で重心５ａを想定して述べてきたが、図３に示すように、支持部材５を装置本体の結合部１ａに取り付けてからネジ止めした後  支持部材５に操作部６を組み込む時でも、支持部材５単体の重心５ａは係合部５ｂ側にあることになるが上記と同様の効果が得られる。
【００２６】
［実施例２］
以下に本発明の第２の実施例を図４、図５において説明する。
【００２７】
本実施例２の構成では本実施例１の構成に対し、下記▲１▼と▲２▼の２点が異なる。
【００２８】
▲１▼．係止部５ｃと角穴１ｃを係合部５ｂを中心として略９０度回転させた係止部５ｃ´と，角穴１ｃ´の位置にそれぞれ移動させている。
【００２９】
▲２▼．貫通穴５ｄと角穴１ｃを係合部５ｂを中心とした円周方向にひろげると共に、係止部５ｃ´の端部が角穴１ｃ´の端面に突当たる範囲内で支持部材５の装置本体の結合部１ａに対する取り付け角度を選択可能とし、すなわち操作部６の位置を変更可能にしている。
【００３０】
本実施例２では、▲１▼の構成にすることで、装置本体の結合部１ａへの着脱時に支持部材５を長手方向でなく短手方向に傾ければ係止部５ｃ´のカギ部の抜き挿しが可能となるため、操作部６が結合された状態でも支持部材５の取り回しが容易になる。
【００３１】
また、▲２▼の構成にすることで、操作部６の装置本体に対する位置を変更できるため（図５の（ａ）⇔（ｂ））、装置をユーザーの要望に合わせてサービスマンが設置可能になる等の操作部レイアウトの自由度を向上させる。
【００３２】
など効果が、本実施例１で得られる効果に上乗せされる。
【００３３】
また、実施例１および２の係止部５ｃ・５ｃ´の配置を、図４に示すように、係合部５ｂと重心５ａの距離Ｌより、重心５ａと係止部５ｃ・５ｃ´までの距離Ｌ１・Ｌ２が大きくなる領域Ａに設けることにより、支持部材５が自重で下方に付勢されても係合部５ｂが係止部５ｃより先に貫通穴５ｄから外れ難くなるため組立て作業中の支持部材５の落下を防止する効果を向上させることが可能となる。
【００３４】
係合部５ｂ，係止部５ｃ・５ｃ´を装置本体の結合部１ａ側に設け、穴１ｂと穴１ｃを支持部材５側に設けてもよい。係合部５ｂと係止部５ｃ・５ｃ´の一方を装置本体の結合部１ａ側に、他方を支持部材５側に設け、それに対応させて穴１ｂと穴１ｃ一方を装置本体の結合部１ａ側に、他方を支持部材５側に設けてもよい。
【００３５】
【発明の効果】
以上説明したように、本発明によれば、
１．支持部材を作業者が保持せずにネジ固定などの結合作業が容易に出来る。
【００３６】
２．支持部材を斜めに持ち上げない限り係止部が外れないため、組立て作業中の前記支持部材の落下を防止できる。
【００３７】
３．作業中、前記支持部材を不用意に動かしてしまった時でも、本体側固定部のネジ穴が支持部材の貫通穴から常に確認可能なため、目的の位置に戻した後容易にネジ結合が出来る。
【００３８】
と言った作業性と安全性の向上が図れる効果が得られる。
【図面の簡単な説明】
【図１】本発明の実施例１に係る画像形成装置の支持部材近傍の一部切り欠き側面図
【図２】本発明の実施例１に係る画像形成装置の支持部材を組み付ける動作を説明する図
【図３】本発明の実施例１に係る画像形成装置の仮止め状態にある支持部材近傍の一部切り欠き側面図
【図４】本発明の実施形２に係る画像形成装置の支持部材の組み付け状態を上方より見た透視平面図（その１）
【図５】本発明の実施例２に係る画像形成装置の支持部材の組み付け状態を上方より見た透視平面図（その２）
【図６】本発明および従来の画像形成装置を示す外観斜視図
【図７】従来例に係る画像形成装置の支持部材近傍の一部切り欠き側面図
【符号の説明】
１：装置本体、１ａ・１０１ａ：本体結合部、２：自動原稿フィード装置、２ａ：原稿載置部、２ｂ：原稿排紙トレイ、３：リーダー部、４：画像形成部、５・１０５：支持部材、５ａ・１０５ａ：重心、５ｂ：係合部、５ｃ：係止部、５ｄ：貫通穴、６：操作部、６ａ：表示部、６ｃ：操作ボタン、６ｄ：柱、７：シートカセット、１０：排紙トレイ
【図１】
0004593844.tif 000002
【図２】
0004593844.tif 000003
【図３】
0004593844.tif 000004
【図４】
0004593844.tif 000005
【図５】
0004593844.tif 000006
【図６】
0004593844.tif 000007
【図７】
0004593844.tif 000008